(57)【特許請求の範囲】
【請求項１】
洗浄水を貯留する便器洗浄タンクであって、
底部と、
前記底部の周縁から立ち上がる外壁と、
前記底部に設けられる排水口と、
前記排水口の周縁に設けられる弁座と、
前記底部に設けられ、前記排水口に連通する流路と、
オーバーフロー管が接続される開口を有し且つ前記流路と連通するオーバーフロー管用接続部と、を備え、
前記排水口、前記弁座、前記流路及び前記オーバーフロー管用接続部は、一体的に形成され、
前記流路は、前記排水口と前記便器洗浄タンクの外部とを連通する連通部分を有し、前記連通部分に、前記便器洗浄タンクの外部への水の流通を止める閉止部を有する便器洗浄タンク。
【請求項２】
前記流路は、前記排水口から前記便器洗浄タンクの後方に向けて延びるように形成される請求項１に記載の便器洗浄タンク。
【請求項３】
請求項１又は２に記載の便器洗浄タンクと、
前記オーバーフロー管用接続部に接続される前記オーバーフロー管と、を備える便器洗浄装置であって、
前記オーバーフロー管は、前記流路に配置され前記閉止部を有する便器洗浄装置。
【請求項４】
請求項１又は２に記載の便器洗浄タンクと、
前記弁座に当接する位置と前記弁座から離間する位置との間を移動可能に構成され、前記排水口を開閉する排水弁と、
オーバーフロー管本体と、前記排水弁を移動可能に支持する排水弁支持部と、を有する前記オーバーフロー管と、を備える便器洗浄装置であって、
前記オーバーフロー管本体及び前記排水弁支持部は、一体的に形成される便器洗浄装置。
【発明の詳細な説明】
【技術分野】
【０００１】
本発明は、便器洗浄タンク及びこれを備える便器洗浄装置に関する。
【背景技術】
【０００２】
従来、便器洗浄タンクと、便器洗浄タンクの底部に取り付けられるオーバーフロー管と、を備える便器洗浄装置が知られている（例えば、特許文献１参照）。特許文献１に記載のオーバーフロー管は、上下方向に延びるオーバーフロー管本体と、オーバーフロー管本体の下部に設けられ洗浄水を排出する排水口と、排水口の周縁に設けられた弁座と、を備える。特許文献１に記載のオーバーフロー管は、オーバーフロー管本体と、排水口及び弁座とが、別体の２部材で構成されており、排水口において、便器洗浄タンクの底部に取り付けられる。オーバーフロー管本体の上部の開口部から流入した水は、下部において排水口に流れ込む。
【先行技術文献】
【特許文献】
【０００３】
【特許文献１】特許第５８０７２５７号公報
【発明の概要】
【発明が解決しようとする課題】
【０００４】
特許文献１に記載のオーバーフロー管は、オーバーフロー管本体と、排水口及び弁座とが、別体の２部材で構成されており、部品点数が多くなり易く、構成が複雑になり易い。
ここで、特許文献１に記載のオーバーフロー管は、便器洗浄タンクの底部に取り付けられる。そのため、オーバーフロー管が便器洗浄タンクに取り付けられる構造であるオーバーフロー構造を簡易にすることが望まれる。
【０００５】
本発明は、オーバーフロー構造を簡易にできる便器洗浄タンクを提供することを目的とする。
【課題を解決するための手段】
【０００６】
本発明は、洗浄水を貯留する便器洗浄タンク（例えば、後述の洗浄タンク４）であって、底部（例えば、後述の底部４１１）と、前記底部の周縁から立ち上がる外壁（例えば、後述の周壁４１２）と、前記底部に設けられる排水口（例えば、後述の排水口１１）と、前記排水口の周縁に設けられる弁座（例えば、後述の弁座１２）と、前記底部に設けられ、前記排水口に連通する流路（例えば、後述の流路１３）と、オーバーフロー管（例えば、後述のオーバーフロー管４６）が接続される開口を有し且つ前記流路と連通するオーバーフロー管用接続部（例えば、後述の接続口１４）と、を備え、前記排水口、前記弁座、前記流路及び前記オーバーフロー管用接続部は、一体的に形成される便器洗浄タンクに関する。
【０００７】
また、前記流路は、前記排水口と前記便器洗浄タンクの外部とを連通することが好ましい。
【０００８】
また、前記流路は、前記排水口から前記便器洗浄タンクの後方に向けて延びるように形成されることが好ましい。
【０００９】
また、本発明は、前記便器洗浄タンクと、前記オーバーフロー管用接続部に接続される前記オーバーフロー管と、を備える便器洗浄装置（例えば、後述の便器洗浄装置１）であって、前記オーバーフロー管は、前記流路に配置され前記便器洗浄タンクの外部への水の流通を止める閉止部（例えば、後述の閉止部４６４）を有する便器洗浄装置に関する。
【００１０】
また、本発明は、前記便器洗浄タンクと、前記弁座に当接する位置と前記弁座から離間する位置との間を移動可能に構成され、前記排水口を開閉する排水弁（例えば、後述の排水弁４８）と、オーバーフロー管本体（例えば、後述のオーバーフロー管本体）と、前記排水弁を移動可能に支持する排水弁支持部（例えば、後述の排水弁支持部４６５）と、を有する前記オーバーフロー管と、を備える便器洗浄装置であって、前記オーバーフロー管本体及び前記排水弁支持部は、一体的に形成される便器洗浄装置に関する。
【発明の効果】
【００１１】
本発明によれば、オーバーフロー構造を簡易にできる便器洗浄タンクを提供することができる。
【図面の簡単な説明】
【００１２】
【図１】本発明の一実施形態に係る便器洗浄装置１を示す斜視図である。
【図２】本発明の一実施形態に係る洗浄タンク４及び洗浄タンク４の内部の構成を示す断面図である。
【図３】オーバーフロー管４６及び排水口１１の周辺の構成を示す断面斜視図である。
【図４】オーバーフロー管４６及び排水口１１の周辺の構成を示す断面図である。
【図５】洗浄タンク４を斜め上方から視た斜視図である。
【図６】洗浄タンク４を斜め下方から視た斜視図である。
【図７】オーバーフロー管４６及び排水弁４８の構成を示す斜視図である。
【図８】オーバーフロー管４６及び排水弁４８の構成を示す拡大斜視図である。
【発明を実施するための形態】
【００１３】
以下、本発明の便器洗浄装置１の一実施形態について、図面を参照しながら説明する。以下の説明においては、便器洗浄装置１の便座（図示せず）に座った人から視た場合の前後の向きを前後方向とする。また、便器洗浄装置１の便座（図示せず）に座った人から視た場合の左右の向きを左右方向とする。また、鉛直方向に沿った上下の向きを上下方向とする。
【００１４】
本実施形態の便器洗浄装置１は、図１及び図２に示すように、便器２と、ベースプレート３と、便器洗浄タンクとしての洗浄タンク４と、給水部５と、洗浄駆動ユニット７と、上部カバー８ａと、一対の側部カバー８ｂ，８ｂと、を備える。
【００１５】
便器２は、便器本体２ａと、便座（図示せず）及び便蓋２ｂと、を含んで構成される。便座（図示せず）及び便蓋２ｂは、便器本体２ａの上部に、便器本体２ａに対して回動可能に取り付けられる。
【００１６】
ベースプレート３は、図１に示すように、便器本体２ａの後方の上面に取り付けられる。ベースプレート３の上方には、洗浄タンク４が配置される。ベースプレート３に受け止められた水は、ベースプレート３に形成された導出開口部（図示せず）を介して、便器本体２ａの内部に導出される。
【００１７】
洗浄タンク４は、ベースプレート３の上方において、便器２の後方かつ上方に配置され、便器本体２ａを洗浄する洗浄水を貯留する。洗浄タンク４は、便器洗浄装置１に内装される。洗浄タンク４は、図２に示すように、タンク本体４１と、タンク蓋部４２と、を備える。
【００１８】
タンク本体４１は、洗浄水を貯留する。タンク本体４１は、図２に示すように、上面が開口して形成され、底部４１１と、底部４１１の周縁から立ち上がり周囲を囲むように形成される周壁４１２（外壁）と、を備える。また、タンク本体４１は、図２〜図６に示すように、排水口１１と、弁座１２と、流路１３と、オーバーフロー管用接続部としての接続口１４と、を有する。排水口１１、弁座１２、流路１３及び接続口１４は、タンク本体４１の底部４１１において、一体的に形成される。タンク本体４１の接続口１４には、オーバーフロー管４６が接続されている。
【００１９】
排水口１１は、図５及び図６に示すように、洗浄タンク４のタンク本体４１の底部４１１に設けられる。排水口１１は、洗浄水を便器２に排出する。排水口１１は、底部４１１の下部から下方に突出する円筒状に形成され、タンク本体４１の底部４１１を貫通する。
【００２０】
弁座１２は、図５に示すように、排水口１１の周縁に設けられる。弁座１２は、円筒状に形成され、排水口１１の周縁において、タンク本体４１の底部４１１から上方に延出するように形成される。弁座１２の上端部は、洗浄タンク４の後方側が高くなるように傾斜する。
【００２１】
弁座１２には、図２〜図４に示すように、排水弁４８が配置される。排水弁４８は、排水口１１を開閉する。排水弁４８は、弁座１２に当接する位置と弁座１２から離間する位置との間を移動可能に構成される。弁座１２の上端部において洗浄タンク４の後方側が高くなるように傾斜して形成されているため、排水弁４８は、排水口１１を閉じている状態においては、洗浄タンク４の後方側が高くなるように傾斜した状態で、弁座１２に配置される。
【００２２】
排水弁４８は、図７及び図８に示すように、弁体部４８１と、弁体保持部４８２と、一対の支持腕部４８３，４８３と、を有する。
弁体部４８１は、円環状の板状に形成される。弁体部４８１は、弁座１２に当接して、排水口１１を閉止する。弁体部４８１は、弁体保持部４８２に保持される。弁体保持部４８２の上面には、玉鎖４０１の下端部が接続される。
【００２３】
一対の支持腕部４８３，４８３は、それぞれ、弁体保持部４８２の一端部からオーバーフロー管４６側に延出して形成される。一対の支持腕部４８３，４８３の先端側には支持凹部４８３ａが形成される。支持凹部４８３ａは、下方側が開放する凹状に形成され、後述するオーバーフロー管４６の排水弁支持部４６５に回動可能に支持される。
【００２４】
排水弁４８は、図２に示すように、玉鎖４０１を介して洗浄駆動ユニット７に接続されており、操作ボタン（図示せず）の操作により、排水口１１を開閉する。排水弁４８を引き上げて排水口１１を開放することにより、タンク本体４１の内部に貯留された洗浄水が排水口１１から流出して便器本体２ａに供給され、便器本体２ａが洗浄される。排水弁４８には、玉鎖４０１を介して洗浄駆動ユニット７に接続されており、例えば、操作ボタン（図示せず）の操作により、洗浄駆動ユニット７のモータ７ａの回転軸７ｂが回転することで洗浄駆動ユニット７が駆動されて、排水弁４８は、開閉される。
【００２５】
流路１３は、図４〜図６に示すように、タンク本体４１の底部４１１に設けられる。流路１３には、オーバーフロー管４６の上部の開口部４６ａ（後述）から流入した水が導入される。流路１３は、オーバーフロー管４６から流入した水を排水口１１へ向けて流通させる。流路１３は、弁座１２の内側の後方側の側面を側方に貫通して形成される。流路１３は、排水口１１に連通する。
【００２６】
流路１３は、図４に示すように、流路構成部分１３１により構成される。流路構成部分１３１は、弁座１２における洗浄タンク４の後部から、洗浄タンク４の後方に延びる。流路構成部分１３１は、下部構成部１３１ａと、上部構成部１３１ｂと、を有する。下部構成部１３１ａは、洗浄タンク４の底部４１１により構成され、水平方向に延びる板状に形成される。上部構成部１３１ｂは、下部構成部１３１ａの上方側に離間して配置され、水平方向に延びる板状に形成される。流路１３は、下部構成部１３１ａと上部構成部１３１ｂとの間に形成される。
【００２７】
流路構成部分１３１は、後述する接続口１４と一体的に形成される。上部構成部１３１ｂの上部には、接続口１４が形成される。接続口１４は、上下方向に延びる円筒状に形成され、上部にオーバーフロー管４６が接続される開口を有し、かつ、流路１３に連通する。
【００２８】
流路１３は、洗浄タンク４の外部に向けて延びる。流路１３は、排水口１１の周縁に形成される弁座１２の内側の後方側の側面から、洗浄タンク４の後方側に向けて水平方向に延び、且つ、排水口１１とタンク本体４１の外部とを連通する。
【００２９】
本実施形態においては、上下に配置した金型（図示せず）を用いて洗浄タンク４を成型する際に、成型上の理由から、洗浄タンク４の底部において、水平方向に貫通しないで途中まで延びる流路を成型することが難しい。そのため、流路１３を容易に形成するために、流路１３は、金型を用いて、排水口１１とタンク本体４１の外部とを貫通させて連通するように成型される。これにより、排水口１１とタンク本体４１の外部とを貫通させて成型するため、上下に配置した金型を用いてタンク本体４１を成型しても、流路１３を容易に形成できる。
【００３０】
ここで、本実施形態においては、流路１３は、排水口１１の周縁の弁座１２から後方に延びるように形成される。本実施形態においては、排水口１１の周縁の弁座１２から後方側の洗浄タンク４の外部までの距離は、排水口１１の周縁の弁座１２から左右方向側の洗浄タンク４の外部までの距離よりも短い。つまり、本実施形態においては、流路１３の長さは、排水口１１から洗浄タンク４の左右方向に延びるよりも、短く形成される。これにより、流路１３が短いため、上下に配置した金型を用いてタンク本体４１を成型しても、流路１３を容易に形成できる。
【００３１】
接続口１４は、上下方向に延び、上部が円形状に開口する円筒状に形成される。接続口１４の開口には、図３及び図４に示すように、後述するオーバーフロー管４６のオーバーフロー管接続部４６２が接続される。接続口１４の下部は、流路１３が延びる前後方向の途中において、流路構成部分１３１の上部構成部１３１ｂに接続されることで、流路１３と連通する。これにより、接続口１４は、流路１３とタンク本体４１の内部とを連通する。
【００３２】
オーバーフロー管４６は、図２に示すように、タンク本体４１の内部に設けられる。オーバーフロー管４６は、タンク本体４１に対して着脱可能に構成される。本実施形態においては、オーバーフロー管４６が洗浄タンク４に取り付けられる構造をオーバーフロー構造という。オーバーフロー構造は、前述のタンク本体４１の底部４１１に設けられる排水口１１、弁座１２、流路１３及び接続口１４と、オーバーフロー管４６のオーバーフロー管接続部４６２（後述）と、を備える。
【００３３】
オーバーフロー管４６は、樹脂材料で一体的に形成される。オーバーフロー管４６は、上部に開口部４６ａを有する。開口部４６ａは、オーバーフロー管４６の上端において、洗浄タンク４に貯留される洗浄水の水位の上限に合わせた高さで開口する。
【００３４】
オーバーフロー管４６は、図７及び図８に示すように、オーバーフロー管本体４６１と、オーバーフロー管接続部４６２と、一対の排水弁支持部４６５，４６５と、を有する。オーバーフロー管本体４６１、オーバーフロー管接続部４６２及び一対の排水弁支持部４６５，４６５は、一体的に形成される。
【００３５】
オーバーフロー管接続部４６２は、オーバーフロー管４６の下部に設けられる。オーバーフロー管接続部４６２は、図４に示すように、タンク本体４１の接続口１４に接続される。オーバーフロー管接続部４６２は、図４、図７及び図８に示すように、接続部本体４６３と、閉止部４６４と、を有する。
【００３６】
接続部本体４６３は、図８に示すように、オーバーフロー管本体４６１の下端部から下方に延びるように形成される。接続部本体４６３は、接続部筒体４６３ａと、環状係止凸部４６３ｂと、位置決め縦凸部４６３ｃと、複数の縦凸部４６３ｄと、Ｏリング用溝４６３ｅと、第１係合部４６３ｆと、第２係合部４６３ｇと、を有する。
【００３７】
接続部筒体４６３ａは、オーバーフロー管本体４６１の下端部から、下方に延びる円筒状に形成される。
環状係止凸部４６３ｂは、図８に示すように、接続部筒体４６３ａの上端部において、接続部筒体４６３ａの外面から円環状に突出する。環状係止凸部４６３ｂは、オーバーフロー管４６を洗浄タンク４の底部４１１に接続した際に、洗浄タンク４の接続口１４の上端面に当接する（図４参照）。
【００３８】
位置決め縦凸部４６３ｃは、図８に示すように、環状係止凸部４６３ｂの下方において、接続部筒体４６３ａの外周面から突出して上下方向に延びる。位置決め縦凸部４６３ｃは、排水弁４８が配置される側に形成される。位置決め縦凸部４６３ｃは、オーバーフロー管４６を洗浄タンク４の底部４１１に接続した際に、洗浄タンク４の接続口１４の溝部１４１に係止され、オーバーフロー管４６をタンク本体４１に対して回転不能に位置決めする（図４参照）。
【００３９】
複数の縦凸部４６３ｄは、図８に示すように、それぞれ、環状係止凸部４６３ｂの下方において、接続部筒体４６３ａの外周面から突出して上下方向に延びる。複数の縦凸部４６３ｄは、周方向に離間して配置される。複数の縦凸部４６３ｄは、オーバーフロー管４６を洗浄タンク４の底部４１１に接続した際に、洗浄タンク４の接続口１４の内面に押し付けられて変形する。
【００４０】
Ｏリング用溝４６３ｅは、図８に示すように、複数の縦凸部４６３ｄの下方において、接続部筒体４６３ａの外周面に沿って形成される。Ｏリング用溝４６３ｅには、Ｏリング４６６が配置される。Ｏリング用溝４６３ｅに配置されたＯリング４６６は、オーバーフロー管４６を洗浄タンク４の底部４１１に接続した際に、接続口１４の内面に押し付けられる（図４参照）。
【００４１】
第１係合部４６３ｆは、図８に示すように、接続部筒体４６３ａの下端部において、下方に突出し、且つ、流路１３側の側方に突出する。第１係合部４６３ｆは、オーバーフロー管４６を洗浄タンク４の底部４１１に接続した際に、接続口１４における排水口１１側において、流路１３を構成する流路構成部分１３１の上部構成部１３１ｂの縁部に係合する（図４参照）。
【００４２】
第２係合部４６３ｇは、図８に示すように、接続部筒体４６３ａの下端部において、下方に突出し、且つ、流路１３における洗浄タンク４の外部側の側方に突出する。第２係合部４６３ｇは、オーバーフロー管４６を洗浄タンク４の底部４１１に接続した際に、接続口１４における洗浄タンク４の外部側において、流路１３を構成する流路構成部分１３１の上部構成部１３１ｂの縁部に係合する（図４参照）。
【００４３】
閉止部４６４は、図８に示すように、接続部本体４６３の下部に連続して形成される。閉止部４６４は、オーバーフロー管４６を洗浄タンク４の底部４１１に接続した際に、流路１３に配置され、洗浄タンク４の外部への水の流通を止める。閉止部４６４は、半円筒体４６４ａと、半円板４６４ｂと、止水突出部４６４ｃと、を有する。
【００４４】
半円筒体４６４ａは、水平方向の断面が略半円弧状の略半円筒状に形成され、上下方向に延びる。半円筒体４６４ａは、閉止部４６４の円弧状の側面を構成し、接続部本体４６３の下端部から下方に延びて形成される。
半円板４６４ｂは、閉止部４６４の底部を構成し、略半円の板状に形成される。半円板４６４ｂは、水平に配置された状態で、半円筒体４６４ａの下部を塞ぐように、半円筒体４６４ａの下端部に接続される。
【００４５】
止水突出部４６４ｃは、図８に示すように、半円筒体４６４ａ及び半円板４６４ｂの外面に形成される。止水突出部４６４ｃは、一対の縦突出部４６４ｄ、４６４ｄと、横突出部４６４ｅと、を有する。一対の縦突出部４６４ｄ、４６４ｄは、半円筒体４６４ａの外面において、上下方向に直線状に延び、半円筒体４６４ａを挟んで洗浄タンク４の前後において対称に形成される。横突出部４６４ｅは、半円板４６４ｂの外面（下面）において、一対の縦突出部４６４ｄ、４６４ｄの下端部同士をつないで形成され、洗浄タンク４の前後方向に直線状に延びる。
【００４６】
閉止部４６４は、図３及び図４に示すように、オーバーフロー管４６をタンク本体４１の底部４１１に接続した場合に、流路１３に配置される。閉止部４６４は、半円筒体４６４ａの円弧状の側面が、タンク本体４１の外部側に凸となるように配置される。閉止部４６４は、樹脂材料で形成されており、オーバーフロー管４６をタンク本体４１の底部４１１に接続する際に、接続口１４を介して流路１３に圧入されて挿入され、押しつぶされる。
【００４７】
閉止部４６４が押しつぶされることで、閉止部４６４の一対の縦突出部４６４ｄ、４６４ｄ及び横突出部４６４ｅは、流路１３を構成する流路構成部分１３１の内面に当接する。これにより、閉止部４６４は、洗浄タンク４の外部側の流路１３を閉止する。よって、オーバーフロー管４６から流路１３に流入した水の排水口１１側への流通は許容され、閉止部４６４によりタンク本体４１の外部側への水の流通は閉止される。
【００４８】
なお、洗浄タンク４の下方には、図３及び図４に示すように、ベースプレート３が配置されている。そのため、仮に流路１３を流れる水が流路１３と閉止部４６４との隙間から漏れたとしても、ベースプレート３に受け止められる。ベースプレート３に受け止められた水は、ベースプレート３に形成された導出開口部（図示せず）を介して、便器本体２ａの内部に導出される。
【００４９】
一対の排水弁支持部４６５，４６５は、図８に示すように、排水弁４８を回動可能（移動可能）に支持する。一対の排水弁支持部４６５，４６５は、それぞれ、オーバーフロー管本体４６１の下部において、オーバーフロー管４６の外周面から側方に突出し、且つ、突出した部分の先端から上方に延びる。一対の排水弁支持部４６５，４６５は、排水弁４８の一対の支持腕部４８３，４８３の支持凹部４８３ａを支持する。
【００５０】
給水部５は、図２に示すように、洗浄タンク４に備えられる。給水部５は、給水流路部５１と、ボールタップ装置６０と、を備える。給水部５には、外部の給水源（図示せず）に接続される給水管５０１が接続されている。
【００５１】
給水流路部５１は、図２に示すように、主流路部５１１と、分岐流路部５１２と、を有する。
主流路部５１１は、洗浄タンク４の内部を通る。主流路部５１１は、給水部５から給水された洗浄水を、洗浄タンク４に供給する。主流路部５１１の下流側端部には、洗浄タンク４の内部に水を吐出する洗浄水吐水部５１１ａが設けられている。分岐流路部５１２は、給水部５から給水された洗浄水を、便器本体２ａに補給する補給水として、ベースプレート３（図１参照）に吐出する。
【００５２】
ボールタップ装置６０は、図２に示すように、給水弁６１と、節水タンク６２と、フロート部材６３と、アーム部材としての操作アーム部材６４と、浮き閉止部材６５と、を備える。
【００５３】
節水タンク６２は、円形状の底部連通孔６２１ａが形成された底部６２１を有し、一方の側部の上方側の部分が側方に向けて開放し且つ上方が開放した方形筒状に形成される。
浮き閉止部材６５は、節水タンク６２の底部連通孔６２１ａに配置される。浮き閉止部材６５は、浮力を有しており、洗浄タンク４に貯留される洗浄水の水位に連動して上下方向に移動する。
【００５４】
フロート部材６３は、節水タンク６２に貯留された洗浄水の水位に連動して上下方向に移動する。フロート部材６３は、フロート部本体６３１と、フロート側アーム部６３２と、を有する。
フロート部本体６３１は、節水タンク６２の内部に配置される。フロート部本体６３１は、上部が閉鎖されかつ下部が開放する方形箱状に形成される。
フロート側アーム部６３２は、フロート部本体６３１の上部に接続される。フロート側アーム部６３２は、上下方向に延びる。
【００５５】
操作アーム部材６４は、先端側が上下方向に移動することにより、給水弁６１の接続支持部６１１を上下方向に移動させて、給水弁６１を作動させる。操作アーム部材６４は、上下方向に交差する方向に延びる。操作アーム部材６４は、基端側が給水弁６１に接続され、先端側がフロート部材６３のフロート側アーム部６３２に係合されている。操作アーム部材６４は、フロート部材６３の上下方向の移動に連動して基端側を支点として上下方向に移動する。
【００５６】
給水弁６１は、図２に示すように、給水管５０１に設けられる。給水弁６１は、操作アーム部材６４に接続される。操作アーム部材６４がフロート部材６３の上下方向の移動に連動して移動することで、給水弁６１は、洗浄タンク４へ給水を行う開状態又は洗浄タンク４への給水を停止する閉状態に開閉可能である。
【００５７】
タンク蓋部４２は、図２に示すように、タンク本体４１の上面に配置され、タンク本体４１の上面を覆う。タンク蓋部４２は、第１蓋部４３と、第２蓋部４４と、を有する。第１蓋部４３及び第２蓋部４４は、板状に形成され、タンク本体４１の上面を覆う。第２蓋部４４は、開口部４４４と、一対のリブ部４４５，４４５と、を有する。開口部４４４は、図２に示すように、フロート部材６３のフロート側アーム部６３２の上方に形成される。
【００５８】
上部カバー８ａは、図１に示すように、洗浄タンク４及び他の機能部品を覆うように形成される。
一対の側部カバー８ｂ，８ｂは、便器本体２ａの後方の左右方向の両側の側部を塞ぐように形成される。一対の側部カバー８ｂ，８ｂの形状は、便器本体２ａの左右方向において対称の形状である。
【００５９】
以上説明した本実施形態の洗浄タンク４及び便器洗浄装置１によれば、以下のような効果を奏する。
本実施形態の洗浄タンク４においては、洗浄水を貯留する洗浄タンク４であって、底部４１１と、底部４１１の周縁から立ち上がる周壁４１２と、底部４１１に設けられる排水口１１と、排水口１１の周縁に設けられる弁座１２と、底部４１１に設けられ、排水口１１に連通する流路１３と、オーバーフロー管４６が接続される開口を有し且つ流路１３と連通する接続口１４と、を備え、排水口１１、弁座１２、流路１３及び接続口１４は、一体的に形成される。
そのため、洗浄タンク４のタンク本体４１の底部４１１において、排水口１１、弁座１２及び流路１３及び接続口１４を一体的に形成することで、排水口１１、弁座１２及び流路１３及び接続口１４を別部材により形成しなくてよく、オーバーフロー管４６に排水口１１及び弁座１２を設ける必要もない。これにより、洗浄タンク４をこのように構成することで、オーバーフロー構造を簡易に構成できる。よって、オーバーフロー管４６を作成するためのコストを低減できる。
【００６０】
また、本実施形態の洗浄タンク４においては、流路１３は、排水口１１と洗浄タンク４の外部とを連通する。
そのため、オーバーフロー管４６と排水弁４８とを連通する流路１３を、排水口１１と洗浄タンク４の外部とを連通するように形成できる。これにより、洗浄タンク４を金型を用いて成型する場合に、流路１３を容易に形成することができる。
更に、本実施形態においては、流路１３は、排水口１１から洗浄タンク４の後方に向けて延びる。そのため、流路１３を短くすることができる。これにより、流路１３を、より容易に形成することができる。
【００６１】
また、本実施形態の便器洗浄装置１においては、洗浄タンク４と、接続口１４に接続されるオーバーフロー管４６と、を備え、オーバーフロー管４６は、流路１３に配置され、洗浄タンク４の外部への水の流通を止める閉止部４６４を有する。そのため、閉止部４６４により、オーバーフロー管４６から流路１３に流れ込む水を、洗浄タンク４の外部側への水の流れを止めて、排水口１１側に導くことができる。また、オーバーフロー管４６が閉止部４６４を有するため、オーバーフロー管４６を洗浄タンク４の底部４１１に接続するだけで、オーバーフロー管４６から流路１３に流れ込む水を排水口１１側に導くと共に、閉止部４６４により、流路１３において洗浄タンク４の外部への水の流通を止めることができる。また、オーバーフロー管４６が閉止部４６４を有するため、流路１３を閉止するための他の構成や他の部材を設けなくてよい。
【００６２】
また、本実施形態においては、洗浄タンク４と、弁座１２に当接する位置と弁座１２から離間する位置との間を回動可能（移動可能）に構成され、排水口１１を開閉する排水弁４８と、オーバーフロー管本体４６１と、排水弁４８を回動可能（移動可能）に支持する排水弁支持部４５と、を有するオーバーフロー管４６と、を備え、オーバーフロー管本体４６１及び排水弁支持部４６５は、一体的に形成される。そのため、オーバーフロー管４６に排水弁支持部４５を設けることで、排水弁４８を支持する構造を洗浄タンク４側に設けなくてよい。
【００６３】
以上、本発明の洗浄タンク４及び便器洗浄装置１の好ましい実施形態について説明したが、本発明は、上述した実施形態に制限されるものではなく、適宜変更が可能である。
例えば、前記実施形態では、オーバーフロー管４６は、流路１３に配置され便器洗浄タンク４の外部への水の流通を止める閉止部４６４を備える構成としたが、これに限定されない。オーバーフロー管４６は、流路１３に配置される閉止部４６４を備えなくてもよい。本実施形態に係る便器洗浄装置１においては、洗浄タンク４の下方には、図３及び図４に示すように、ベースプレート３が配置されている。そのため、流路１３に閉止部４６４を配置しなくても、流路１３から流れる水は、ベースプレート３に受け止められる。ベースプレート３に受け止められた水は、ベースプレート３に形成された導出開口部（図示せず）を介して、便器本体２ａの内部に導出される。
【００６４】
また、前記実施形態では、流路１３を水平方向に延びるように形成したが、これに限定されない。流路１３を斜め方向に延びるように形成してもよい。
【符号の説明】
【００６５】
１  便器洗浄装置
４  洗浄タンク（便器洗浄タンク）
１１  排水口
１２  弁座
１３  流路
１４  接続口（オーバーフロー管用接続部）
４６  オーバーフロー管
４８  排水弁
４１１  底部
４１２  周壁（外壁）
４６１  オーバーフロー管本体
４６４  閉止部
４６５  排水弁支持部
【図１】
0006649082.tif 000002
【図２】
0006649082.tif 000003
【図３】
0006649082.tif 000004
【図４】
0006649082.tif 000005
【図５】
0006649082.tif 000006
【図６】
0006649082.tif 000007
【図７】
0006649082.tif 000008
【図８】
0006649082.tif 000009